(57)【要約】  本明細書は、支持体と、前記支持体上に備えられた３つ以上の面光源パネルとを含み、前記面光源パネルの発光色は、２つ以上である照明器具に関するものである。
2015535386.tif 000002
【特許請求の範囲】
【請求項１】
支持体と、前記支持体上に備えられた３つ以上の面光源パネルとを含み、
少なくとも２つの前記面光源パネルは、互いに異なる色の光を発光することを特徴とする照明器具。
【請求項２】
支持体と、前記支持体上に備えられた３つ以上の面光源パネルとを含み、発光色の組み合わせの色座標がＣＩＥ１９３１色座標（ｘ，ｙ）基準黒体放射カーブ（ｂｌａｃｋ−ｂｏｄｙ  ｒａｄｉａｔｉｏｎ  ｃｕｒｖｅ）を少なくとも一点通過することを特徴とする照明器具。
【請求項３】
少なくとも２つの前記面光源パネルは、互いに異なる色の光を発光することを特徴とする請求項２に記載の照明器具。
【請求項４】
前記照明器具は、前記面光源パネルそれぞれに電圧または電流を印加するか、または、同じ色を発光する前記面光源パネルに電圧または電流を印加するドライバを含むことを特徴とする請求項１〜３のいずれか１項に記載の照明器具。
【請求項５】
前記面光源パネルそれぞれの電圧または電流の印加を制御するか、または、面光源パネルの色に応じて面光源パネルへの電圧または電流の印加を制御するコントローラを含むことを特徴とする請求項１〜３のいずれか１項に記載の照明器具。
【請求項６】
前記面光源パネルは、それぞれ独立に、少なくとも１つの側面に備えられたベゼルを含むことを特徴とする請求項１〜３のいずれか１項に記載の照明器具。
【請求項７】
前記ベゼルは、面光源パネルのすべての側面に備えられたことを特徴とする請求項６に記載の照明器具。
【請求項８】
隣接した少なくとも２つの前記面光源パネルの間に隙間（ｇａｐ）が設けられたことを特徴とする請求項１〜３のいずれか１項に記載の照明器具。
【請求項９】
前記ベゼルを隠蔽するための遮蔽膜をさらに含むことを特徴とする請求項６に記載の照明器具。
【請求項１０】
前記遮蔽膜は、前記支持体と前記面光源パネルとの間、前記面光源パネルの、前記支持体と接する面の反対面、または両面に備えられたことを特徴とする請求項９に記載の照明器具。
【請求項１１】
前記隙間を隠蔽するための遮蔽膜をさらに含むことを特徴とする請求項８に記載の照明器具。
【請求項１２】
前記遮蔽膜は、前記支持体と前記面光源パネルとの間、前記面光源パネルの、前記支持体と接する面の反対面、または両面に備えられたことを特徴とする請求項１１に記載の照明器具。
【請求項１３】
前記面光源パネルの間の隙間に対応する領域にパターン形態で備えられることを特徴とする請求項８に記載の照明器具。
【請求項１４】
前記面光源パネルのうちの少なくとも２つは、パネルの表面からランバート（ｌａｍｂｅｒｔｉａｎ）形態で光を放出する素子であることを特徴とする請求項１〜３のいずれか１項に記載の照明器具。
【請求項１５】
前記ランバート形態で光を放出する素子の光の強さＩは、下記の式１を満足することを特徴とする請求項１４に記載の照明器具。
【数１】
2015535386.tif 000005
（この式において、前記Ｉｍａｘは発光面に垂直な方向の光の強さを意味し、前記θは発光面の垂線からの角度を意味し、ｘは定数であって０．６以上１．５以下の実数である。）
【請求項１６】
前記面光源パネルのうちの少なくとも１つは、ＯＬＥＤであることを特徴とする請求項１〜３のいずれか１項に記載の照明器具。
【請求項１７】
前記面光源パネルは、少なくとも１つのＯＬＥＤと、少なくとも１つのＬＥＤとを含むことを特徴とする請求項１〜３のいずれか１項に記載の照明器具。
【請求項１８】
前記面光源パネルの大きさは、５ｍｍ×５ｍｍ以上の面積を有することを特徴とする請求項１〜３のいずれか１項に記載の照明器具。
【請求項１９】
前記面光源パネルの大きさは、６００ｍｍ×６００ｍｍ以下の面積を有することを特徴とする請求項１〜３のいずれか１項に記載の照明器具。
【請求項２０】
前記照明器具は、面光源パネルの全部または一部を点灯し、２，０００Ｋ以上１５，０００Ｋ以下の色温度の混合された白色光を放出することを特徴とする請求項１〜３のいずれか１項に記載の照明器具。
【請求項２１】
前記照明器具の演色性指数は、８０以上であることを特徴とする請求項１〜３のいずれか１項に記載の照明器具。
【請求項２２】
前記照明器具は、赤色光を発光する少なくとも１つの面光源パネル；青色光を発光する少なくとも１つの面光源パネル；緑色光を発光する少なくとも１つの面光源パネル；および黄色光を発光する少なくとも１つの面光源パネルからなる群より選択される１種以上の面光源パネルと；白色光を発光する少なくとも１つの面光源パネルとを含むことを特徴とする請求項１〜３のいずれか１項に記載の照明器具。
【請求項２３】
前記照明器具は、白色光を発光する少なくとも１つの面光源パネルと、赤色光を発光する少なくとも１つの面光源パネルとを含むか；白色光を発光する少なくとも１つの面光源パネルと、黄色光を発光する少なくとも１つの面光源パネルとを含むか；白色光を発光する少なくとも１つの面光源パネルと、青色光を発光する少なくとも１つの面光源パネルとを含むか；白色光を発光する少なくとも１つの面光源パネルと、緑色光を発光する少なくとも１つの面光源パネルと、を含むことを特徴とする請求項１〜３のいずれか１項に記載の照明器具。
【請求項２４】
前記照明器具は、補色関係の２種以上の色をそれぞれ発光する面光源パネルを少なくとも１つずつ含むことを特徴とする請求項１〜３のいずれか１項に記載の照明器具。
【請求項２５】
前記照明器具は、白色光を発光する面光源パネルを含まないことを特徴とする請求項２４に記載の照明器具。
【請求項２６】
前記照明器具は、赤色光を発光する少なくとも１つの面光源パネル；青色光を発光する少なくとも１つの面光源パネル；緑色光を発光する少なくとも１つの面光源パネル；および黄色光を発光する少なくとも１つの面光源パネルからなる群より選択される２種以上の面光源パネルを含むことを特徴とする請求項１〜３のいずれか１項に記載の照明器具。
【請求項２７】
前記照明器具は、赤色光を発光する少なくとも１つの面光源パネルと、青色光を発光する少なくとも１つの面光源パネルとを含むか；赤色光を発光する少なくとも１つの面光源パネルと、黄色光を発光する少なくとも１つの面光源パネルとを含むか；赤色光を発光する少なくとも１つの面光源パネルと、緑色光を発光する少なくとも１つの面光源パネルとを含むか；青色光を発光する少なくとも１つの面光源パネルと、黄色光を発光する少なくとも１つの面光源パネルとを含むか；青色光を発光する少なくとも１つの面光源パネルと、緑色光を発光する少なくとも１つの面光源パネルとを含むか；または黄色光を発光する少なくとも１つの面光源パネルと、緑色光を発光する少なくとも１つの面光源パネルとを含むことを特徴とする請求項１〜３のいずれか１項に記載の照明器具。
【請求項２８】
前記照明器具は、赤色光を発光する少なくとも１つの面光源パネルと、青色光を発光する少なくとも１つの面光源パネルと、黄色光を発光する少なくとも１つの面光源パネルとを含むか；赤色光を発光する少なくとも１つの面光源パネルと、青色光を発光する少なくとも１つの面光源パネルと、緑色光を発光する少なくとも１つの面光源パネルとを含むか；赤色光を発光する少なくとも１つの面光源パネルと、黄色光を発光する少なくとも１つの面光源パネルと、緑色光を発光する少なくとも１つの面光源パネルとを含むか；または青色光を発光する少なくとも１つの面光源パネルと、黄色光を発光する少なくとも１つの面光源パネルと、緑色光を発光する少なくとも１つの面光源パネルとを含むことを特徴とする請求項１〜３のいずれか１項に記載の照明器具。
【発明の詳細な説明】
【技術分野】
【０００１】
（関連出願の相互参照）
本出願は、２０１２年１２月７日付で韓国特許庁に提出された韓国特許出願第１０−２０１２−０１４１５３４号の出願日の利益を主張し、その内容のすべては本明細書に組み込まれる。
【０００２】
本明細書は、照明器具およびその製造方法に関するものである。
【背景技術】
【０００３】
ディスプレイが目に見える物事を２次元的に実際と類似に表現する道具であるとすれば、照明は自然光に近い光を出す人工的器具である。このために、当業界では、太陽光が与える自然な光およびこれにより物事の色を豊かに表現できる方法を工夫している。また、日中の太陽光の光と夕方の光が異なるように、人工光源においても多様な色温度を表現しようとする試みがなされている。例えば、高い演色性（ＣＲＩ）、色温度（ｃｏｌｏｒ  ｔｅｍｐｅｒａｔｕｒｅ）、そして、赤色光をよく表現できる光源の能力を示すＲ９値を高めるための努力が注がれている。
【０００４】
ＬＥＤの場合、一般的に、青色光を発光する素子に、青色光を黄色光に変化させるＹＡＧ蛍光体の濃度を変化させて塗布することで、色温度を調整する。ＹＡＧの濃度が低ければ、冷たい感じの、色温度の高い白色光を発光し、逆に、ＹＡＧ蛍光体の濃度を高める場合、暖かい感じの、色温度の低い白色光を発光する。ＹＡＧ蛍光体の代わりに青色光を吸収して赤色光を発光する蛍光体を添加し、物事の赤色をよく表現する程度を示す数値のＲ９値を上昇させることができる。
【０００５】
ＬＥＤを用いた面光源を製作するために使用する方法としては、面発光をする基板の周縁に小さいＬＥＤチップ（ｃｈｉｐ）を配列するか、または（エッジ型、ｅｄｇｅ  ｔｙｐｅ）、発光面に小さいＬＥＤを２次元的にいくつかを位置させた後、ＬＥＤの位置を隠蔽させるために拡散板（ｄｉｆｆｕｓｅｒ）を追加する（直下型、ｄｉｒｅｃｔ  ｔｙｐｅ）。このように製作される面光源に色調整能力を付加するために、赤色光のみを発光するＬＥＤ、あるいは青色光のみを発光するＬＥＤを共に混ぜて配置させることにより、使用者は、白色面発光源の色温度を低くするか高くし、あるいは多様な色を演出することができる。
【０００６】
ＯＬＥＤの場合、ＬＥＤとは異なり、単位素子の大きさが相対的に非常に大きい。ＯＬＥＤ技術を利用したディスプレイの場合、リソグラフィを利用した基板のパターニングと、シャドウマスク（ｓｈａｄｏｗ  ｍａｓｋ）を用いた赤色、緑色、青色などの発光物質を、パターニングによって１ｍｍ以下の微細なピクセルを形成させると同時に、このような微細なピクセルを個別駆動することにより、多様なイメージを実現することができる。反面、ＯＬＥＤを照明に用いるためには、このような方法の導入は、多大な価格上昇につながるために実用性がなく、そのような理由から１つの色、特に予め定められた色温度の白色のみを発光する相対的に大きい面発光源として製作される。通常、横あるいは縦が、小さくて１×１ｃｍから、大きくて６０×６０ｃｍのサイズが一般的に用いられる。そのため、ＯＬＥＤは、ＬＥＤとは異なり、面の周縁に多数の発光源を位置させたり、面からなる基板上に直下型ＬＥＤのように目立たないように位置させるには大ききすぎるため、基板自体で１つの面発光源として構成されて用いることが一般的な方法である。そのため、ＬＥＤのように色調整能力を発揮する構成が困難になる。
【０００７】
従来技術によれば、１つの基板に２つの素子を順次に積層させ、中間電極を別途に取り外してそれぞれを駆動し、また、それぞれの光の強さを調整することにより、色変換を行うことのできる方法が発表された。しかし、中間電極が透明でなければ、中間電極の上下にそれぞれ位置する２つの発光色が混合されて放出できない。そのために相対的に透過度の高い薄膜の金属を中間電極として用いる。しかし、この場合、中間電極の抵抗が大きくなって電圧が上昇する問題や、上下部それぞれの電極と電気的に直接連結されて発生するショート（ｓｈｏｒｔ）を防止するために中間電極のパターニングが必要になる問題などによって、実用的な方法にはならなかった。そのため、現在商用化されたＯＬＥＤパネルを用いた照明は、固定された白色で製作することが一般的である。
【先行技術文献】
【特許文献】
【０００８】
【特許文献１】韓国特許出願第１０−２０１２−０１４１５３４号
【発明の概要】
【発明が解決しようとする課題】
【０００９】
本明細書は、多様な輝度または色温度の実現が可能な照明器具およびその製造方法を提供する。
【課題を解決するための手段】
【００１０】
本明細書の一実施態様は、支持体と、前記支持体上に備えられた３つ以上の面光源パネルとを含み、少なくとも２つの前記面光源パネルは、互いに異なる色の光を発光する照明器具を提供する。
【００１１】
本明細書の一実施態様は、支持体と、前記支持体上に備えられた３つ以上の面光源パネルとを含み、発光色の組み合わせの色座標がＣＩＥ１９３１色座標（ｘ，ｙ）基準黒体放射カーブ（ｂｌａｃｋ−ｂｏｄｙ  ｒａｄｉａｔｉｏｎ  ｃｕｒｖｅ）を少なくとも一点通過する照明器具を提供する。
【００１２】
本明細書の一実施態様は、支持体と、前記支持体上に備えられた３つ以上の面光源パネルとを含み、少なくとも２つの前記面光源パネルは、互いに異なる色の光を発光し、発光色の組み合わせの色座標がＣＩＥ１９３１色座標（ｘ，ｙ）基準黒体放射カーブ（ｂｌａｃｋ−ｂｏｄｙ  ｒａｄｉａｔｉｏｎ  ｃｕｒｖｅ）を少なくとも一点通過する照明器具を提供する。
【００１３】
本明細書のもう一つの実施態様によれば、前記照明器具は、前記面光源パネルそれぞれに電圧または電流を印加するか、または、同じ色を発光する前記面光源パネルに電圧または電流を印加するドライバを含む。
【００１４】
本明細書のもう一つの実施態様によれば、前記面光源パネルそれぞれの電圧または電流の印加を制御するか、または、面光源パネルの色に応じて面光源パネルへの電圧または電流の印加を制御するコントローラを含む。
【００１５】
本明細書のもう一つの実施態様によれば、前記面光源パネルは、それぞれ独立に、少なくとも１つの側面に備えられたベゼルを含む。
【００１６】
本明細書のもう一つの実施態様によれば、前記ベゼルは、面光源パネルのすべての側面に備えられる。
【００１７】
本明細書のもう一つの実施態様によれば、隣接した少なくとも２つの前記面光源パネルの間に隙間（ｇａｐ）が設けられる。
【００１８】
本明細書のもう一つの実施態様によれば、前記ベゼルを隠蔽するための遮蔽膜をさらに含む。
【００１９】
本明細書のもう一つの実施態様によれば、前記隙間を隠蔽するための遮蔽膜をさらに含む。
【００２０】
本明細書のもう一つの実施態様によれば、前記遮蔽膜は、前記支持体と前記面光源パネルとの間、前記面光源パネルの、前記支持体と接する面の反対面、または両面に備えられる。
【００２１】
本明細書のもう一つの実施態様によれば、前記遮蔽膜は、前記ベゼルまたは前記面光源パネルの間の隙間の対応領域に備えられた遮蔽パターンを含む。
【００２２】
本明細書のもう一つの実施態様によれば、前記面光源パネルの間の隙間に対応する領域にパターン形態で備えられる。
【００２３】
本明細書のもう一つの実施態様によれば、前記面光源パネルのうちの少なくとも２つは、パネルの表面からランバート（ｌａｍｂｅｒｔｉａｎ）形態で光を放出する素子である。
【００２４】
本明細書のもう一つの実施態様によれば、前記ランバート形態で光を放出する素子の光の強さＩは、下記の式１を満足する。
【００２５】
【数１】
2015535386.tif 000003
【００２６】
前記Ｉｍａｘは発光面に垂直な方向の光の強さを意味し、前記θは発光面の垂線からの角度を意味し、ｘは定数であって０．６以上１．５以下の実数である。
【００２７】
本明細書のもう一つの実施態様によれば、前記面光源パネルのうちの少なくとも１つは、ＯＬＥＤである。
【００２８】
本明細書のもう一つの実施態様によれば、前記面光源パネルは、少なくとも１つのＯＬＥＤと、少なくとも１つのＬＥＤとを含む。
【００２９】
本明細書のもう一つの実施態様によれば、前記面光源パネルの大きさは、５ｍｍ×５ｍｍ以上の面積を有する。
【００３０】
本明細書のもう一つの実施態様によれば、前記面光源パネルの大きさは、６００ｍｍ×６００ｍｍ以下の面積を有する。
【００３１】
本明細書のもう一つの実施態様によれば、前記照明器具は、面光源パネルの全部または一部を点灯し、２，０００Ｋ以上１５，０００Ｋ以下の色温度の混合された白色光を放出する。
【００３２】
本明細書のもう一つの実施態様によれば、前記照明器具の演色性指数は、８０以上である。
【００３３】
本明細書のもう一つの実施態様によれば、前記照明器具は、赤色光を発光する少なくとも１つの面光源パネル；青色光を発光する少なくとも１つの面光源パネル；緑色光を発光する少なくとも１つの面光源パネル；および黄色光を発光する少なくとも１つの面光源パネルからなる群より選択される１種以上の面光源パネルと；白色光を発光する少なくとも１つの面光源パネルとを含む。
【００３４】
本明細書のもう一つの実施態様によれば、前記照明器具は、白色光を発光する少なくとも１つの面光源パネルと、赤色光を発光する少なくとも１つの面光源パネルとを含むか；白色光を発光する少なくとも１つの面光源パネルと、黄色光を発光する少なくとも１つの面光源パネルとを含むか；白色光を発光する少なくとも１つの面光源パネルと、青色光を発光する少なくとも１つの面光源パネルとを含むか、または白色光を発光する少なくとも１つの面光源パネルと、緑色光を発光する少なくとも１つの面光源パネルとを含む。
【００３５】
本明細書のもう一つの実施態様によれば、前記照明器具は、補色関係の２種以上の色をそれぞれ発光する面光源パネルを少なくとも１つずつ含む。
【００３６】
本明細書のもう一つの実施態様によれば、前記照明器具は、白色光を発光する面光源パネルを含まない。
【００３７】
本明細書のもう一つの実施態様によれば、前記照明器具は、赤色光を発光する少なくとも１つの面光源パネル；青色光を発光する少なくとも１つの面光源パネル；緑色光を発光する少なくとも１つの面光源パネル；および黄色光を発光する少なくとも１つの面光源パネルからなる群より選択される２種以上の面光源パネルを含む。
【００３８】
本明細書のもう一つの実施態様によれば、前記照明器具は、赤色光を発光する少なくとも１つの面光源パネルと、青色光を発光する少なくとも１つの面光源パネルとを含むか、赤色光を発光する少なくとも１つの面光源パネルと、黄色光を発光する少なくとも１つの面光源パネルとを含むか、赤色光を発光する少なくとも１つの面光源パネルと、緑色光を発光する少なくとも１つの面光源パネルとを含むか、青色光を発光する少なくとも１つの面光源パネルと、黄色光を発光する少なくとも１つの面光源パネルとを含むか、青色光を発光する少なくとも１つの面光源パネルと、緑色光を発光する少なくとも１つの面光源パネルとを含むか、または黄色光を発光する少なくとも１つの面光源パネルと、緑色光を発光する少なくとも１つの面光源パネルとを含む。
【００３９】
本明細書のもう一つの実施態様によれば、前記照明器具は、赤色光を発光する少なくとも１つの面光源パネルと、青色光を発光する少なくとも１つの面光源パネルと、黄色光を発光する少なくとも１つの面光源パネルとを含むか、赤色光を発光する少なくとも１つの面光源パネルと、青色光を発光する少なくとも１つの面光源パネルと、緑色光を発光する少なくとも１つの面光源パネルとを含むか、赤色光を発光する少なくとも１つの面光源パネルと、黄色光を発光する少なくとも１つの面光源パネルと、緑色光を発光する少なくとも１つの面光源パネルとを含むか、または青色光を発光する少なくとも１つの面光源パネルと、黄色光を発光する少なくとも１つの面光源パネルと、緑色光を発光する少なくとも１つの面光源パネルとを含む。
【００４０】
本明細書のもう一つの実施態様によれば、前記照明器具には、白色光を発光する面光源パネルを含まず、照明器具から発光する発光色の色座標がＣＩＥ１９３１色座標（ｘ，ｙ）基準黒体放射カーブ（ｂｌａｃｋ−ｂｏｄｙ  ｒａｄｉａｔｉｏｎ  ｃｕｒｖｅ）を少なくとも一点通過する。
【発明の効果】
【００４１】
本明細書によれば、３つ以上の面光源パネルそれぞれへの電圧の印加を制御することにより、１つの照明器具を用いる場合にも、色温度を多様に調整することができる。したがって、１種類の照明器具を設置する場合にも、必要によって、例えば、特定状況や使用者の好みによって色温度を調整して用いることができる。また、本明細書によれば、各面光源パネルの種類、発光色、発光物質、発光面積、パネルに注入される電流量を調整することにより、輝度の高い照明器具を提供することができる。
【図面の簡単な説明】
【００４２】
【図１】本明細書の一実施態様にかかる照明器具において、実現可能な色温度の範囲を例示したものである。
【図２】本明細書の一実施態様にかかる照明器具において、それぞれ異なる２つあるいは３つの色の光源を用いて示すことができる多様な白色光を例示したものである。
【図３】本明細書の一実施態様にかかる照明器具において、それぞれ異なる２つあるいは３つの色の光源を用いて示すことができる多様な白色光を例示したものである。
【図４】本明細書の一実施態様にかかる照明器具において、それぞれ異なる２つあるいは３つの色の光源を用いて示すことができる多様な白色光を例示したものである。
【図５】本明細書の一実施態様にかかる面光源が配置された照明器具の上面のパターンを例示したものである。
【図６】本明細書の一実施態様にかかる１つの面光源パネルの発光領域および非発光領域を例示したものである。
【図７Ａ】３つの面光源パネルが備えられた本明細書の一実施態様にかかる照明器具の平面図を例示したものである。
【図７Ｂ】図７Ａによる照明器具の側面図を例示したものである。
【図８】本明細書の一実施態様にかかる遮蔽膜を含む照明器具を例示したものである。
【図９】本明細書の一実施態様にかかる遮蔽膜を含む照明器具を例示したものである。
【図１０】理想的なランバート形態の発光源から発光される光を示したものである。
【図１１】光の指向角（ｂｅａｍ  ａｎｇｌｅ）を例示したものである。
【発明を実施するための形態】
【００４３】
本明細書の一実施態様にかかる照明器具は、支持体と、前記支持体上に備えられた３つ以上の面光源パネルとを含み、少なくとも２つの前記面光源パネルは、互いに異なる色の光を発光することを特徴とする。
【００４４】
前記実施態様にかかる照明器具は、３つ以上の面光源パネルを含むが、これらの発光色は、２つ以上で構成されている。この構成において、それぞれの面光源パネルへの電圧または電流の印加が制御されるようにコントローラを備えることができる。前記実施態様にかかる照明器具は、面光源パネルを含む点から、多数の点または線形態のＬＥＤ光源を基板の周縁に配置したり、基板上に配置した後その上に拡散板を配置する構成と異なる。また、前記構成は、面形態のＯＬＥＤ光源１つのみを配置した構成と異なる。さらに、前記構成は、１つの色のみで構成された多数の光源を配置した構成とも異なる。このような本発明の構成上の特徴を以下により詳細に説明する。
【００４５】
前記実施態様にかかる照明器具は、３つ以上の光源を有するが、これらは面光源である。ここで、面光源とは、従来のＬＥＤの点または線形態の光源と区別されるものである。例えば、面光源パネルの大きさは、５ｍｍ×５ｍｍ以上の面積を有することができる。前記実施態様では、点光源や線光源でない面光源を用いることにより、点や線光源から発散された光を拡散させるための導光板や、点光源または線光源を隠蔽させるための拡散板を必要としないという利点がある。
【００４６】
また、前記実施態様にかかる照明器具は、１つの大面積ＯＬＥＤ面光源を用いるのではなく、３つ以上の面光源パネルを用いることにより、大面積の実現に伴うショート（ｓｈｏｒｔ）の危険を最小化することができる。例えば、本明細書の一実施態様によれば、前記それぞれの面光源パネルの面積は、６００ｍｍ×６００ｍｍ以下、または３６０，０００ｍｍ２以下の面積を有することができる。
【００４７】
従来の照明は、すべての部分が同じ明るさおよび色からなるのに対し、本明細書によれば、１つの照明器具において、同じ明るさおよび色からなるようにする状態と、互いに異なる２以上の色が発光される状態をすべて実現することもできる。すなわち、２以上の色を発光する面光源パネルをすべて同時に作動する場合、使用者が本明細書の照明器具を直接見る場合には、面光源パネルから発光する多様な色を見ることになるが、照明器具を直接見る代わりに、その照明器具から出る光によって照らされる物事を見る場合には、多様な色の存在を感じることができないことにより、一般照明としての使用が可能になる。さらに、前記照明器具によって照らされる物事が白色の壁の場合、前記面光源パネルから発光する光が混合されることにより、白色の壁には白色光が照射されるようになる。
【００４８】
図１は、本明細書の一実施態様にかかる照明器具において、実現可能な色温度の範囲を例示したものである。具体的には、図１に示したグラフは、ＣＩＥ１９３１色度図（ｃｈｒｏｍａｔｉｃｉｔｙ  ｄｉａｇｒａｍ）と呼ばれる、光源の色を標準化した方法で表す方式を示したものである。
【００４９】
特に、本明細書の一実施態様にかかる照明器具は、照明器具から発光する発光色の組み合わせの色座標がＣＩＥ１９３１色座標（ｘ，ｙ）基準黒体放射カーブ（ｂｌａｃｋ−ｂｏｄｙ  ｒａｄｉａｔｉｏｎ  ｃｕｒｖｅ）を少なくとも一点通過する。この時、前記照明器具に含まれる面光源パネルは、白色光を発光する面光源パネルを含んでもよく、含まなくてもよい。
【００５０】
太陽が代表的な黒体輻射をする光である。そのため、照明器具から発光する発光色の組み合わせの色座標が黒体放射カーブを通過する場合、黒体輻射の特性と類似するため、太陽光に類似の、すなわち自然光に近い。
【００５１】
図２ないし図４は、本明細書の一実施態様にかかる照明器具において、それぞれ異なる２つあるいは３つの色の光源を用いて示すことができる多様な白色光を例示したものである。図２ないし図４において、いずれも照明器具から発光する発光色の色座標が黒体放射カーブを少なくとも一点通過する。
【００５２】
本明細書の一実施態様によれば、照明器具から発光する発光色の色座標領域がＣＩＥ１９３１色座標（ｘ，ｙ）基準黒体放射カーブ（ｂｌａｃｋ−ｂｏｄｙ  ｒａｄｉａｔｉｏｎ  ｃｕｒｖｅ）を少なくとも一部含む。ここで、色座標領域とは、図３のように、照明器具によって特定面積内の色座標内の発光の実現が可能な場合、実現可能な色座標の範囲を意味する。
【００５３】
図５は、本明細書の一実施態様にかかる面光源が配置された照明器具の上面のパターンを例示したものである。ただし、面光源の配置された構造が図５の形態にのみ限定されるものではなく、前述した実施態様の条件を満足するように多様な形態の配置が可能である。図５のＢで表示されたパネルは青色発光を、Ｒで表示されたパネルは赤色発光を示し、何ら表示のないパネルは白色発光を示す。前記ＢとＲは、図面において発光色を示すためのものに過ぎず、実際のパネルにＢまたはＲのような文字が表示されているわけではない。
【００５４】
本明細書の一実施態様によれば、前記面光源パネルは、それぞれ独立に、少なくとも１つの側面にベゼルが備えられるとよい。また、本明細書の一実施態様によれば、前記ベゼルは、前記面光源パネルのすべての側面に備えられるとよい。
【００５５】
前記ベゼルは、面光源パネルの非発光領域であるとよい。具体的には、本明細書の一実施態様によれば、前記照明器具は、発光領域および非発光領域を含むことができる。具体的には、前記面光源パネルがＯＬＥＤの場合に、非発光領域が必要であり得る。
【００５６】
図６は、本明細書の一実施態様にかかる照明器具に含まれた面光源パネルのうちのいずれか１つの面光源パネルの発光領域および非発光領域を例示したものである。具体的には、前記面光源パネルの非発光領域は、電極と連結するための領域になっていてもよい。あるいは、前記面光源パネルの非発光領域は、水分または空気遮断のためのシーリング（ｓｅａｌｉｎｇ）時の、接着剤が塗布された領域であってもよい。図６の非発光領域にベゼルが備えられる。
【００５７】
本明細書の一実施態様によれば、前記照明器具は、前記面光源パネルの間に離隔した間隔を含むことができる。つまり、前記照明器具は、隣接した少なくとも２つの前記面光源パネルの間に隙間（ギャップ）が備えられるとよい。
【００５８】
図７Ａは、本明細書の一実施態様にかかる照明器具において、面光源パネルの間の隙間（ｇａｐ）構造を説明するために、３つの面光源パネルが備えられた様子を図式化したものである。しかし、本明細書の実施態様によれば、３つの面光源の大きさが同じである必要がなく、配置位置も、図７Ａのように平行に配置されることに限定されるものではない。図７Ｂは、前記図７Ａに示した面光源パネルの側面の積層構造を例示したものである。
【００５９】
本明細書の一実施態様によれば、前記照明器具は、前記ベゼルまたは前記面光源パネルの間の隙間を隠蔽するための遮蔽膜をさらに含むことができる。
【００６０】
前記遮蔽膜は、前記支持体と前記面光源パネルとの間、前記面光源パネルの、前記支持体と接する面の反対面、または両面に備えられるとよい。前記遮蔽膜は、前記ベゼルまたは前記面光源パネルの間の隙間が設けられた領域に対応する形態を有する遮蔽パターンを含むことができる。前記遮蔽パターンの間には、透明パターンが備えられてもよく、備えられなくてもよい。
【００６１】
前記遮蔽パターンが前記ベゼルまたは前記面光源パネルの間の隙間が設けられた領域に対応する形態を有するとの意味は、前記ベゼルまたは面光源パネルの間の隙間と同じ大きさおよび同じ形態を有していてもよく、前記ベゼルまたは面光源パネルの間の隙間と同じ形態を有するが、大きさは異なるものを含む。前記遮蔽パターンの線幅は、前記ベゼルまたは隙間の線幅に比べて８０％〜２００％の範囲内で選択可能である。
【００６２】
前記遮蔽パターンの材料は、前記ベゼルまたは隙間を光学的に遮る機能を果たすことができれば、特に限定されない。例えば、空気層または前記透明パターンと屈折率の異なる材料を用いることにより、前記遮蔽パターンは、光の屈折によって前記ベゼルまたは隙間の存在を遮ることができる。さらに、従来の拡散板または導光板の材料として用いられる材料を使用することができるが、これらの例にのみ限定されるものではない。
【００６３】
また、本明細書の一実施態様によれば、前記支持体は、前記ベゼルまたは前記面光源パネルの間の隙間に対応する領域にパターン形態で備えられるとよい。この場合、前記パターン形態で備えられる支持体は、前述した遮蔽パターンの役割を果たすことができる。つまり、前記パターン形態で備えられる支持体は、支持体の役割と遮蔽膜の役割を同時に果たすことができる。この場合にも同じく、前記支持体のパターンの間には、透明パターンが追加的に備えられるとよい。
【００６４】
本明細書の一実施態様によれば、前記支持体は、隣接した前記面光源パネルの非発光領域の下面に接して備えられるとよい。また、前記支持体は、前記面光源パネルの非発光領域の下面に接して備えられ、隣接する面光源パネルを連結することができる。
【００６５】
前記遮蔽膜またはパターン形態の支持体は、面光源パネルの非発光領域、ベゼルまたは面光源パネルの間の隙間（ｇａｐ）の視認性が低下できる。すなわち、前記遮蔽膜またはパターン形態の支持体は、面光源パネルの非発光領域、ベゼルまたは面光源パネルの間の隙間（ｇａｐ）を同時に包み隠す効果がある。
【００６６】
図８および図９は、本明細書の一実施態様にかかる遮蔽パターンを含む照明器具を例示したものである。具体的には、図８の場合、面光源パネルと支持体との間に遮蔽膜が備えられたことを例示したものである。図９の場合、支持体が遮蔽パターンの役割を果たす場合を例示したものである。
【００６７】
本明細書のもう一つの実施態様によれば、前記照明器具は、前記面光源パネルそれぞれに電圧または電流を印加するか、または、同じ色を発光する前記面光源パネルに電圧または電流を印加するドライバを含むことができる。
【００６８】
本明細書の一実施態様によれば、前記ドライバは、それぞれの発光色ごとに別途に備えられ、それぞれ１つの発光色に対する面光源パネルの電圧または電流を印加することができる。
【００６９】
また、本明細書のもう一つの実施態様によれば、前記面光源パネルそれぞれの電圧または電流の印加を制御するか、または、面光源パネルの色に応じて面光源パネルへの電圧または電流の印加を制御するコントローラを含むことができる。具体的には、前記コントローラは、前記照明器具内のすべての面光源パネルの電流または電流の印加を制御することができる。あるいは、前記コントローラは、それぞれの面光源パネルの電流または電圧の印加を制御することができる。あるいは、前記コントローラは、それぞれの発光色ごとに別途に備えられ、それぞれ１つの発光色に対する面光源パネルの電圧または電流の印加を制御することができる。
【００７０】
前記のようなドライバおよび／またはコントローラを含む場合、前記照明器具に含まれた３つ以上の面光源パネルをそれぞれ発光または非発光となるように調整することができる。したがって、必要によって、発光する面光源パネルの個数を発光色ごとに調整することにより、前記照明器具の色温度を調整することができる。また、前記コントローラにより、各色の面光源パネルに印加する電流の量を調整することにより、前記照明器具の色温度を調整することができる。また、定められた色温度でそれぞれの面光源パネルに印加される電流を同時に増加または減少させることにより、前記照明器具の輝度を調整することができる。前記ドライバおよび／またはコントローラは、面光源パネルをそれぞれ制御することもでき、同じ色の発光をする面光源パネルのグループを共に制御することもできる。例えば、４つの白色光を発光する面光源パネルと、３つの青色光を発光する面光源パネルと、３つの黄色光を発光する面光源パネルとから構成された照明器具において、それぞれの発光色を駆動する３つのドライバを用いて、４つの白色光のみを発光させることができる。あるいは、冷たい感じの、色温度の高い白色発光のために、４つの白色光および３つの青色光を発光させることができる。あるいは、暖かい感じの、色温度の低い白色発光のために、４つの白色光および３つの黄色光を発光させることができる。また、３つの青色光および３つの黄色光を発光し、これらが壁面または底面に照射される時、光が混合されて白色光を実現することもできる。
【００７１】
さらに、本明細書の一実施態様によれば、それぞれの発光色を駆動する別のドライバを用いる場合、それぞれの発光色の強さを調整することで、前記照明器具の色温度および明るさの微細調整も可能である。
【００７２】
本発明の一実施態様にかかる照明器具が白色光以外の３つの色の光をそれぞれ発光する面光源パネルを１つ以上ずつ含む場合、前述したドライバおよび／またはコントローラを用いて、各面光源パネルの点灯および発光強度を調整できるため、ＣＩＥ１９３１色座標で３つの色の色座標を結ぶ面積内のすべての色温度を実現することができる。
【００７３】
前記ドライバは、直列あるいは並列、または直列と並列を混合して連結された前記面光源パネルを電流駆動することができる。
【００７４】
本明細書のもう一つの実施態様によれば、前記面光源パネルのうちの少なくとも２つは、前記面光源パネルの表面からランバート（ｌａｍｂｅｒｔｉａｎ）形態で光を放出する素子であるとよい。
【００７５】
図１０は、理想的なランバート形態の発光源から発光される光を示したものである。具体的には、理想的なランバート形態で発光する場合、光は図１０のような方向性を有する。すなわち、面光源形態となる光源から任意の点を選択する時、その点を中心として発光される光は、光源の面に垂直な方向で光の強さが最も高く、この時の発光強度はＩｍａｘとなる。また、発光面の垂線から角度が大きくなるほど、その光の強さはｃｏｓθに比例して小くなる。これを数式で表すと、発光強度（Ｉ）はＩ＝Ｉｍａｘｃｏｓθで表すことができる。
【００７６】
本明細書で言及する、前記ランバート形態で光を放出する素子の光の強さＩは、下記の式２を満足する。
【００７７】
【数２】
2015535386.tif 000004
【００７８】
前記Ｉｍａｘは発光面に垂直な方向の光の強さを意味し、前記θは発光面の垂線からの角度を意味し、ｘは定数であって０．６以上１．５以下の実数である。
【００７９】
前記式２を満足する場合、多様な色で構成される前記面光源パネルの組み合わせからなる照明器具を用いても、前記照明器具で発生する光が混合され、壁面や底面に白色光として現れる。このような関係は、図１１で定義された指向角（ｂｅａｍ  ａｎｇｌｅ）で説明することができる。指向角（ｂｅａｍ  ａｎｇｌｅ）が大きければ、光源から発光される光が広く広がるのに対し、指向角が小さければ、狭い面積に集中する効果が現れる。すなわち、図１２で例示されているように、２つの異なる色を発光する面光源パネルａ、ｂを用いて照明器具を製作する場合、指向角（ｂｅａｍ  ａｎｇｌｅ）が小さければ、２つの色の光が底面を照らす時、色の混合が困難になり、底面の位置に応じて色の差が大きい不均一性が現れる。反面、図１３に例示されているように、指向角（ｂｅａｍ  ａｎｇｌｅ）が大きくなれば、不均一性は大きく減少する。しかし、指向角（ｂｅａｍ  ａｎｇｌｅ）が大きすぎる場合、照明源から垂直に離れる光の強度が相対的に弱くなり、不要な所まで光を照らすようになって非効率的な照明器具となり得る。そのため、本明細書の一実施態様によれば、前記面光源の発光形態は、ランバート形態に近いものが好ましい。
【００８０】
本明細書の一実施態様にかかる照明器具において、前記面光源パネルのうちの少なくとも１つは、ＯＬＥＤであってもよい。あるいは、本明細書の一実施態様にかかる照明器具において、前記面光源パネルは、少なくとも１つのＯＬＥＤと、少なくとも１つのＬＥＤとを含むことができる。
【００８１】
本明細書のもう一つの実施態様によれば、ランバート（ｌａｍｂｅｒｔｉａｎ）形態で光を放出する素子として、前記面光源パネルのうちの少なくとも１つをＯＬＥＤで備えることができる。本実施形態によれば、すべての面光源パネルがＯＬＥＤであってもよく、一部の面光源パネルがＯＬＥＤであってもよい。
【００８２】
ここで、ＯＬＥＤとは、発光物質として有機物を使用するものを意味する。必要によって、ＯＬＥＤは、発光物質のほか、電荷輸送を効率的に行うための追加の有機物を使用することもできる。ＯＬＥＤは、２つの電極の間に少なくとも１層の有機発光層を含む。例えば、ＯＬＥＤは、前記有機発光層と電極との間に電荷注入または輸送層、例えば、電子輸送層、電子注入層、正孔輸送層、正孔注入層、正孔遮断層、電子遮断層などを含むことができる。また、必要によって、２つの電極の間に有機発光層を１層以上含む発光ユニットが２つ以上積層されてもよい。前記発光ユニットとは、有機発光層を含み、電圧の印加時に発光できる最小単位を意味する。前記発光ユニットの間には、中間導電層または電荷発生層が備えられるとよい。中間導電層は、電極材料として使用可能な導電性材料を用いて形成されるとよい。積層された２以上の発光ユニットは、同じ色を発光するように備えられてもよく、互いに異なる色を発光するように備えられてもよい。例えば、積層された構造のＯＬＥＤにおいて、２以上の発光ユニットで互いに異なる色を発光して白色を発光するように備えられるとよい。
【００８３】
本明細書のもう一つの実施態様によれば、前記面光源パネルは、少なくとも１つのＯＬＥＤと、少なくとも１つのＬＥＤとを含む。面光源パネルのうちの一部のみがＯＬＥＤの場合、残りはＬＥＤから構成されるとよい。ここで、ＬＥＤは、ＯＬＥＤでない発光素子を意味するものである。
【００８４】
ＯＬＥＤパネルのみを用いる場合、ＯＬＥＤの特性上、非常に薄い照明源を構成するのに有利である。反面、ＯＬＥＤおよびＬＥＤパネルを混合して用いる場合、色に応じて最も効率の高いパネルをそれぞれ採用することにより、高効率の照明器具を製作することができる。例えば、ＬＥＤ技術を利用して面光源を作る場合、青色と色温度の高い白色を効率高く製作することができる。反面、現在のＬＥＤ技術では、高効率の緑色あるいは黄色パネルの製作が相対的に難しい。反面、現在のＯＬＥＤ技術では、高効率の緑色と黄色、そして、赤色パネルの製作が容易であるのに対し、青色あるいは色温度の低い白色の製作が難しい。そのため、このような利点および欠点を活用して効率の高い色のパネルを、ＬＥＤおよびＯＬＥＤ技術で選択して組み合わせる場合、最も効率の高い形態の照明器具を製作することができる。そのため、ＯＬＥＤおよびＬＥＤ光源を単に照明器具に混合して用いるのとは役割および特性が異なる。例えば、ＯＬＥＤは面光源形態で構成し、ＬＥＤは点光源形態で構成することで、それぞれを別途あるいは同時に駆動する方式は、本明細書が追求する多様な色変換を実現するための構成と、さらに、多様な色を照明源で実現することにより、単に繰り返される形態および色から抜け出そうとする目的とは異なる。
【００８５】
より具体的には、ＬＥＤの場合、白色光を実現するために、４６０ｎｍ付近の青色チップ（ｂｌｕｅ  ｃｈｉｐ）を基本として使用し、他のカラーを実現するために、パッケージング（ｐａｃｋａｇｉｎｇ）物質の内部あるいは一部分に蛍光体を塗布して一部の青色を他の色に転換する技術を利用する。例えば、白色を実現するには、青色チップを基盤としてパッケージング物質に黄色蛍光体を塗布して、その蛍光体が青色を吸収した後黄色を再発光する原理を利用して、青色光と黄色光とが混合された白色光を出すチップを製作する方式である。黄色光を出すためには、多量の黄色蛍光体を塗布して青色光成分のない黄色光を発光するチップを製作することができる。しかし、このような蛍光体は効率が相対的に低いため、青色光成分を他の色に変換する過程で効率が多く減少する現象がある。反面、ＯＬＥＤの場合、このような色変換を用いるのではなく、ＯＬＥＤ発光素子に燐光方式を利用した黄色あるいは緑色あるいは赤色ドーパントを用いる場合、内部の光変換効率が１００％に達することができる。そのため、本明細書にかかる照明器具を実現する時、青色のＬＥＤパネルあるいは色温度の高い白色、すなわち、黄色蛍光体が相対的に少量入ったＬＥＤチップを用いる面光源を部分的に使用し、黄色、あるいは緑色あるいは赤色を同時にあるいは部分的にあるいはそれぞれ使用する場合、これまで実現することができなかった最高効率の実現が可能である。
【００８６】
本明細書の一実施態様によれば、前記照明器具の演色性指数は、８０以上であり得る。
【００８７】
前記演色性指数（Ｃｏｌｏｒ  Ｒｅｎｄｅｒｉｎｇ  Ｉｎｄｅｘ）とは、自然光を１００とした時、自然光にどれだけ類似の色波長を有しているかを示したものである。すなわち、演色性指数が高いほど、多様な波長の光を十分な強度で発生させることを意味することができる。
【００８８】
本明細書のもう一つの実施態様によれば、前記面光源パネルの発光色は、２つ以上または３つ以上である。
【００８９】
前記実施態様によれば、面光源パネルの発光色は、２つ以上であるとよい。例えば、３つ以上の面光源パネルのうち、２つ以上の面光源パネルが互いに異なる色を発光するように設計されるとよい。具体例として、３つの面光源パネルが備えられて製造される照明器具の場合、２つの面光源パネルは白色光を発光し、残りの１つの面光源パネルは赤色光を発光するように備えられるとよい。もう一つの例として、４つの面光源パネルが備えられて製造される照明器具の場合、２つの面光源パネルは青色光を発光し、残りの２つの面光源パネルは黄色光を発光するように備えられるとよい。もう一つの例として、７つの面光源パネルが備えられて製造される照明器具の場合、４つの面光源パネルは白色光を、２つの面光源パネルは青色光を、１つの面光源パネルは黄色光を発光するように備えられるとよい。
【００９０】
本明細書の一実施態様によれば、前記照明器具は、白色光を発光する少なくとも１つの面光源パネルを含む。
【００９１】
一例によれば、前記照明器具は、赤色光を発光する少なくとも１つの面光源パネル；青色光を発光する少なくとも１つの面光源パネル；緑色光を発光する少なくとも１つの面光源パネル；および黄色光を発光する少なくとも１つの面光源パネルからなる群より選択される１種以上の面光源パネルと；白色光を発光する少なくとも１つの面光源パネルとを含む。
【００９２】
より具体的には、前記照明器具は、白色光を発光する少なくとも１つの面光源パネルと、赤色光を発光する少なくとも１つの面光源パネルとを含むか；白色光を発光する少なくとも１つの面光源パネルと、黄色光を発光する少なくとも１つの面光源パネルとを含むか；白色光を発光する少なくとも１つの面光源パネルと、青色光を発光する少なくとも１つの面光源パネルとを含むか；白色光を発光する少なくとも１つの面光源パネルと、緑色光を発光する少なくとも１つの面光源パネルとを含むことができる。
【００９３】
本明細書のもう一つの実施態様によれば、前記照明器具は、白色光を発光する面光源パネルを含まない。
【００９４】
一例によれば、前記照明器具は、赤色光を発光する少なくとも１つの面光源パネル；青色光を発光する少なくとも１つの面光源パネル；緑色光を発光する少なくとも１つの面光源パネル；および黄色光を発光する少なくとも１つの面光源パネルからなる群より選択される２種以上の面光源パネルを含む。
【００９５】
もう一つの例によれば、前記照明器具は、互いに異なる色の光を発光する２種以上の面光源パネルを含み、赤色光を発光する少なくとも１つの面光源パネルと、青色光を発光する少なくとも１つの面光源パネルとを含むか；赤色光を発光する少なくとも１つの面光源パネルと、黄色光を発光する少なくとも１つの面光源パネルとを含むか；赤色光を発光する少なくとも１つの面光源パネルと、緑色光を発光する少なくとも１つの面光源パネルとを含むか；青色光を発光する少なくとも１つの面光源パネルと、黄色光を発光する少なくとも１つの面光源パネルとを含むか；青色光を発光する少なくとも１つの面光源パネルと、緑色光を発光する少なくとも１つの面光源パネルとを含むか；黄色光を発光する少なくとも１つの面光源パネルと、緑色光を発光する少なくとも１つの面光源パネルとを含む。
【００９６】
もう一つの例によれば、前記照明器具は、互いに異なる色の光を発光する３種以上の面光源パネルを含み、赤色光を発光する少なくとも１つの面光源パネルと、青色光を発光する少なくとも１つの面光源パネルと、黄色光を発光する少なくとも１つの面光源パネルとを含むか；赤色光を発光する少なくとも１つの面光源パネルと、青色光を発光する少なくとも１つの面光源パネルと、緑色光を発光する少なくとも１つの面光源パネルとを含むか；赤色光を発光する少なくとも１つの面光源パネルと、黄色光を発光する少なくとも１つの面光源パネルと、緑色光を発光する少なくとも１つの面光源パネルとを含むか；青色光を発光する少なくとも１つの面光源パネルと、黄色光を発光する少なくとも１つの面光源パネルと、緑色光を発光する少なくとも１つの面光源パネルとを含む。
【００９７】
本明細書の一実施態様によれば、前記照明器具は、補色関係の２種以上の色をそれぞれ発光する面光源パネルを少なくとも１つずつ含む。この時、前記照明器具は、白色光を発光する面光源パネルを含まない。
【００９８】
色の数は、本明細書で追求する色変換能力を左右する。例えば、図２のＣＩＥ１９３１の表上に示しているように、ＡとＢの色座標を有する２つの色の光源を用いて照明器具を作る場合、それぞれ色の強さ（ｉｎｔｅｎｓｉｔｙ）を相対的に調整して組み合わせて示すことができる色は、表上で２つの線を結ぶ線分上にある色座標で表示することができる。そのため、図２の場合、Ａが表す青色およびＢが表す黄色以外にも、その中間にある色を表現することができる。また、図示のように、これらが表現できる色の中では、黒体放射（ｂｌａｃｋ−ｂｏｄｙ  ｒａｄｉａｔｉｏｎ）に相当する多様な白色光の表現も可能になる。すなわち、３，０００Ｋから１５，０００Ｋの間に存在する多様な白色光を、必要によって、それぞれの強さを調整することによって容易に実現可能である。
【００９９】
あるいは、図３のように３つの色を用いることができる。３つの色を用いて色を混合する場合、表現可能な色は、３つの点を連結して形成される三角形内のすべての座標で表示されるため、非常に広い領域の色表現が可能である。図３の場合、Ａ、Ｂ、Ｃ点の色およびそれら点のなす三角形内のすべての色座標の実現が可能である。あるいは、その三角形内に含まれる、２，２００Ｋから１５，０００Ｋまでの多様な白色の実現が可能になる。
【０１００】
白色を含めて２つ以上の色を混合して照明器具を製作することができる。図４の場合、Ａ座標に表示された、色温度５，５００Ｋを有する白色を含み、Ｂ座標の赤色とＣ座標の青色で構成された照明器具の例である。白色のみを点灯した場合、５，５００Ｋの白色光を照明として用いることができ、照明器具上に白色のみが点灯されるため、白色からなるパターンを浮き彫りにすることができる。白色とＣ座標で表示された青色とを混合して点灯させる場合、点Ａと点Ｃとを結ぶ線分上のすべての色の実現が可能であり、特に、この場合には、５，５００Ｋから１５，０００Ｋまでの多様な白色の実現が可能である。ＡとＢを点灯する場合、白色の点灯なくても、３，０００Ｋから５，５００Ｋに達する多様な色が実現可能であり、さらに、３つの色をすべて点灯して色温度を調整することもできる。
【０１０１】
可視光線領域を十分に含む多数の色を用いて照明器具を製作する場合、演色性（ＣＲＩ）を最大に高めることができる。ＬＥＤの場合、一般的に青色光を発光するチップを用い、パッケージング物質中に黄色蛍光物質を含ませて一部の青色光を黄色光に転換させることにより、２つの色の混合によって白色光が放出されるようになる。そのため、発光される光は、可視光線領域のうち青色光と黄色光が強調されており、その間またはその外に位置する波長帯の光は相対的に欠乏している。ＯＬＥＤの場合、白色光を出すための既存の方法は、正孔輸送層と電子輸送層との間に多数の発光層を順に蒸着して多様な色を発光させたり、スタック（ｓｔａｃｋ）構造を用いてアノードとカソードとの間に素子を２度または３度連続的に積み重ね、アノードとカソードとの間に存在するそれぞれの素子で異なる色を発光させることにより、３つ以上の色を発光できるようにする。これにより、演色性指数が９０を超えるＯＬＥＤ面光源を製作することができる。本明細書の一実施態様にかかる照明器具は、このような方法で実現する白色光のほか、青色光、緑色光、赤色光またはその間の中間色までも自由に使用可能になることにより、白熱電球に近いように製造することができる。すなわち、本明細書の一実施態様によれば、前記照明器具の演色性指数は、１００以上であり得る。
【０１０２】
本明細書の一実施態様によれば、必要によって、発光色の面積または形状を調整する必要がある。例えば、面光源パネルの発光色が白色光、黄色光および青色光からなる場合、それぞれの色を構成する面光源パネルの面積が異なり得る。あるいは、前記面光源パネルの形状を、正方形、長方形、三角形、五角形以上の多角形、円、楕円形などと多様に構成することができる。既存の照明器具が１つの色、一般的に白色のみからなるのに対し、本明細書の一実施態様にかかる照明器具は、２つ以上の色で構成され、さらに、２つ以上の色を発光する面光源パネルが前記照明器具内で適切な空間的配置によって色温度を変化させることができる照明源としての役割のほか、単調さを抜け出し、かつ装飾的な要素を付加することができる。
【０１０３】
従来使用されているエッジ型または直下型のＬＥＤ面光源で白色を実現する場合、本明細書のように色の変化は可能であるが、色が既に混合されて出る方式であるため、本明細書のように多様な色で構成されたパターンの実現が不可能になる。しかし、本明細書の一実施態様によれば、面光源形態で製作されたＬＥＤパネルの場合も、前記例示された方法で多様な色温度と多様な色を発光する照明源として使用することができる。
【０１０４】
本明細書にかかる照明器具を製作する場合、歩留まりを増加させる効果がある。照明器具は、使用される作業空間によって、照明の大きさまたは要求される光量がそれぞれ異なる。一般的に、事務室の天井に使用される照明は、１つの照明器具が１，０００ｌｕｍｅｎから３，０００ｌｕｍｅｎ程度を必要とし、より多い光量を要求する場合もある。また、天井に設置する時、ペンダントタイプでない場合には、６００ｍｍ×６００ｍｍ、３００ｍｍ×３００ｍｍあるいはこれらと類似の大きさを有する長方形形態のパネルとして製作される場合が多い。しかし、ＯＬＥＤパネルは、特性上１つのショートをなす微細な欠陥（ｄｅｆｅｃｔ）がパネル全体を作動不能状態にする。そのため、照明器具を構成するそれぞれのパネルの面積が大きくなるほど、パネルにショートが存在する可能性が増加し、生産歩留まりの減少につながる。例えば、１，０００ｍｍ×１，０００ｍｍのパネルに１つのショートチャネル（ｓｈｏｒｔ  ｃｈａｎｎｅｌ）が存在すれば、これを１つのパネルとして製作する場合、その素子は不良（ｆａｉｌ）が生じるが、１００ｍｍ×１００ｍｍのパネル１００個で製作すると、１００個のパネルのうちの１つにのみ不良（ｆａｉｌ）が生じるため、９９％のパネルの歩留まりを有することができる。また、このように多数のパネルを用いて照明器具を製作し、それらパネルの構成が２つ以上の色からなる場合、先に述べたように色温度の変化が可能になるため、多様な利点を享受することができる。一実施態様によれば、本明細書にかかる照明器具は、面光源パネルの全部または一部を点灯し、２，０００Ｋ以上１５，０００Ｋ以下の色温度の混合された白色光を放出することができる。
【０１０５】
本明細書にかかる照明器具は、前記面光源パネルを前記支持体に固定する固定手段を追加的に含むことができる。
【０１０６】
本明細書にかかる照明器具は、この照明器具を天井または壁面に固定するための固定手段を追加的に含むことができる。
【図２】
2015535386.tif 000006
【図３】
2015535386.tif 000007
【図４】
2015535386.tif 000008
【図５】
2015535386.tif 000009
【図７Ｂ】
2015535386.tif 000010
【図１０】
2015535386.tif 000011
【図１１】
2015535386.tif 000012
【図１】
2015535386.tif 000013
【図６】
2015535386.tif 000014
【図７Ａ】
2015535386.tif 000015
【図８】
2015535386.tif 000016
【図９】
2015535386.tif 000017
【国際調査報告】
2015535386.tif 000018
2015535386.tif 000019
2015535386.tif 000020
2015535386.tif 000021